(57)【特許請求の範囲】
【請求項１】
ＩＣカードがタッチされるカード読取部を備え、当該カード読取部の通信領域に位置するＩＣカードに対して読書きするＩＣカードリーダにおいて、
前記カード読取部は、前記ＩＣカードが位置する凹部を備え、
前記凹部の底面と前記カード読取部との間において前記凹部への前記ＩＣカードのタッチ方向に対して９０°回転した方向に前記ＩＣカードが挿入可能に設けられ、挿入されたＩＣカードが前記カード読取部の通信領域に位置するカード挿入口を備えたことを特徴とするＩＣカードリーダ。
【発明の詳細な説明】
【０００１】
【発明の属する技術分野】
本発明は、ＩＣカードがタッチされるカード読取部を備え、当該カード読取部にタッチされたＩＣカードに対して読書きするＩＣカードリーダに関する。
【０００２】
【従来の技術】
近年、磁気カードに代り、耐環境性に優れ、壊れにくいことを特徴とする電波式のＩＣカードが注目されつつある。このような電波式のＩＣカードはＩＣカードリーダのカード読取部にタッチするだけで済むことから、操作性が優れている。
【０００３】
【発明が解決しようとする課題】
しかしながら、電波式のＩＣカードは操作が簡単なことから、逆に次のような問題となることがある。
（１）暗証番号等をキー入力するとき、ＩＣカードを持ちながら操作すると、暗証番号等の入力が完了する前にＩＣカードが読取られてしまってエラーとなる。具体的には、昼間はカード操作だけで扉が開き、夜間は暗証番号とカード操作で扉が開くように運用していた場合、夜間に暗証番号の入力がなくカード操作するとエラーとなってしまう。
【０００４】
（２）上記（１）の問題を解決するには、モータ引込み式も考えられるが、機械的構成が必要となり、装置寿命が短くなると共にコストが増大するばかりか、電波式のＩＣカードの特徴であるタッチするだけで簡単に読取りができるというメリットがなくなってしまう。
（３）上記（１），（２）の問題を解決するには、キー操作部とカード読取部とを離して設けることが考えられるが、それでは装置全体が大形化してしまう。
【０００５】
一方、電波式のＩＣカードの操作方法としては、一般的にタッチ方式と挿入方式とがある。タッチ方式はＩＣカードをＩＣカードリーダの表面にタッチした状態で読書きを行う方式であり、操作部の構造や操作方法が簡単であるものの、以下の欠点がある。
【０００６】
（１）ＩＣカードを保持するためのホルダが存在しないため、ＩＣカードの操作方向を大地と水平に保持する必要があり、ＩＣカードリーダの設置方向が限定されしまう。
【０００７】
（２）ＩＣカードを水平方向に保持するにしても、比較的長時間にわたってＩＣカードに対して読書きする場合、何らかの拍子でＩＣカードがＩＣカードリーダから落下してしまう虞が大きい。
【０００８】
これに対して、挿入方式は、タッチ方式の欠点を補う方式であるが、逆にタッチ方式の利点である操作性が極めて悪い。つまり、短いデータを読書きするだけであっても、ＩＣカードを一々挿入しなければならず、その操作が煩わしい。
【０００９】
本発明は上記事情に鑑みてなされたもので、その目的は、タッチ式の利点を備えながらＩＣカードを保持することが可能となるＩＣカードリーダを提供することにある。
【００１０】
【課題を解決するための手段】
請求項１の発明によれば、入力部に例えば暗証番号を入力したときは、ＩＣカードをカード読取部にタッチする。これにより、ＩＣカードリーダは、ＩＣカードに記憶された暗証番号を読取り、正規のＩＣカードかを判断する。
【００１１】
ところで、暗証番号を入力する際は、ＩＣカードを握った手で行うのが通常であるものの、カード読取部は入力部に対して奥方位置に設けられているので、入力部への所定の入力操作時にカード読取部によりＩＣカードが読取られてしまうことはない。これにより、使用者がＩＣカードを握った手で入力部を操作するにしても、ＩＣカードリーダによるＩＣカードに対する読書きを確実に行うことができる。
請求項２の発明によれば、カード挿入口にＩＣカードを挿入して保持することができるので、ＩＣカードに対する長時間の読書きが可能となる。
【００１２】
【発明の実施の形態】
（第１の参考の形態）
以下、本発明の第１の参考の形態を図１乃至図４を参照して説明する。
【００１３】
図１はＩＣカードリーダを斜視して示している。この図１において、ＩＣカードリーダ１のパネル２には、キー入力部３及び表示部４が設けられていると共に凹部５が形成されており、その凹部５の底面、つまりキー入力部３に対して奥方位置にカード読取部６が設けられている。このカード読取部６には送受信コイル７（図２参照）が内蔵されており、カード読取部６の表面近傍が送受信コイル７によるＩＣカード８に対する通信領域に設定されている。
【００１４】
図２はＩＣカードリーダ１の電気的構成を示している。この図２において、ＩＣカードリーダ１はＣＰＵ９を主体としてなり、ＣＰＵ９は、電源１０による給電状態でメモリ１１に記憶されたプログラムに基づいて動作するようになっている。
【００１５】
即ち、ＣＰＵ９は、キー入力部３から暗証番号が入力したときは、入力した暗証番号を表示部４に秘匿状態で表示してから、送信回路１２により送受信コイル７を通じてＩＣカード８に読取りコマンドを送信することにより、受信回路１３により送受信コイル７を通じてＩＣカード８からカードデータを受信する。
【００１６】
また、ＣＰＵ９は、ＩＣカード８からカードデータを読取ったときは、ブザー１４により読取りを報知すると共に読取ったカードデータを外部通信インタフェース１５を通じて上位の制御装置１６に送信する。
【００１７】
図３はＩＣカード８の電気的構成を示している。この図３において、ＩＣカード８はＣＰＵ１７を主体としてなり、ＣＰＵ１７は、メモリ１８に記憶されたプログラムに基づいて動作するようになっている。つまり、ＣＰＵ１７は、受信回路１９により送受信コイル２０を通じてコマンドを受信すると共に、送信回路２１により送受信コイル２０を通じて応答レスポンスを送信する。尚、メモリ１８には暗証番号及び従業員番号が予め記憶されている。
【００１８】
次に上記構成の作用について説明する。
使用者は、管理された部屋に入室する場合は、ＩＣカードリーダ１のキー入力部３により暗証番号を入力する。すると、ＩＣカードリーダ１は、暗証番号が入力したときは図４に示すようにカード検出コマンドを繰返して送信する。
【００１９】
そして、暗証番号の入力が終了した使用者が図１に示すようにカード読取部６にＩＣカード８をタッチしたときは、ＩＣカードリーダ１は、図４に示すように応答レスポンスを送信する。これにより、ＩＣカードリーダ１は、ＩＣカード８は有ると判断し、読取りコマンドを送信するので、ＩＣカード８はカードデータである暗証番号を送信する。
以上の動作により、ＩＣカードリーダ１は、ＩＣカード８から暗証番号を読取ることができる。
【００２０】
ところで、上述のように使用者がキー入力部３により暗証番号を入力する場合は、ＩＣカード８を握った手でキー入力部３を操作するのが通常である。このような場合、カード読取部６の前面にＩＣカード８が位置するものの、カード読取部６はＩＣカードリーダ１のパネル２から奥方位置に設けられているので、ＩＣカード８は送受信コイル７の通信領域外に位置している。これにより、使用者がＩＣカード８を握った手でキー入力部３により暗証番号を入力するにしても、ＩＣカードリーダ１がＩＣカード８からカードデータを読取ってしまうことはない。
【００２１】
そして、使用者は、キー入力部３による暗証番号の入力が終了したときは、ＩＣカード８をカード読取部６にタッチする。これにより、ＩＣカードリーダ１は、ＩＣカード８から暗証番号を読取り、その暗証番号がキー入力部３から入力された暗証番号と一致したときは、ＩＣカード８からカードデータとして従業員番号を読取り、制御装置１６に送信する。
【００２２】
このような参考の形態によれば、ＩＣカードリーダ１のカード読取部６をキー入力部３よりも奥方位置に設けるようにしたので、ＩＣカード８を握った手でキー入力部３に対してキー入力するにしても、ＩＣカード８が応答することはない。従って、キー入力部３から暗証番号を入力してからＩＣカード８をＩＣカードリーダ１のカード読取部６にタッチすることにより暗証番号を確実に読取らせることができるので、ＩＣカード８に対する読取りの際のエラーの発生を防止することができる。
【００２３】
また、このように優れた効果を奏する構成は、ＩＣカードリーダ１のカード読取部６をパネル２よりも奥方位置に設けるだけで済むので、コストが上昇することなく容易に実施することができる。
【００２４】
（第２の参考の形態）
次に本発明の第２の参考の形態を図５乃至図９を参照して説明するに、第１の参考の形態と同一部分には同一符号を付して説明を省略する。この第２の参考の形態は、ＩＣカード８を保持するためのカード挿入口を設けたことを特徴とする。
【００２５】
図５はＩＣカードリーダ１を斜視して示している。この図５において、ＩＣカードリーダ１には凹部２２が形成されており、その凹部２２にカード読取部２３が橋架されている。このような構成により、カード読取部２３はパネル２よりも奥方位置に位置していると共に、カード読取部２３の背面にカード挿入口２４が形成された構成となっている。
【００２６】
さて、ＩＣカードリーダ１によりＩＣカード８を読書きする際に読書き時間が短い場合は、図６に示すようにＩＣカード８をカード読取部２３に対してタッチする。また、読書き時間が長い場合は、図７に示すようにＩＣカード８をカード挿入口２４に挿入する。
【００２７】
上記構成のＩＣカードリーダ１の設置方法としては、図５に示すような横置きと、図８に示すように縦置きでカード挿入口２４が上向きと、図９に示すように縦置きでカード挿入口２４が横向きとがあり、任意に選択して設置することができる。具体的には、ＩＣカードリーダ１をパソコンの使用者の認証として使用する場合は、机上の空き具合により横置き、縦置きを自由に選択することができる。
【００２８】
また、所定のＩＣカード８をカード挿入口２４に常時挿入しておき、他のＩＣカード８をカード読取部２３に必要に応じてタッチして使用する場合、１台のＩＣカードリーダ１で任意のシステムを構築することができる。このような構成を従業員証発行システムに適用するには、共振周波数が異なる責任者用ＩＣカード８と従業員証ＩＣカード８とを用意し、責任者ＩＣカードをカード挿入口２４に挿入した状態で従業員証発行のアプリケーションプログラムを立上げ、その後、従業員証ＩＣカード８をカード読取部２３にタッチすることにより新しい従業員証ＩＣカード８を再発行する。
【００２９】
このような第２の参考の形態によれば、カード読取部２３の通信領域に位置してカード挿入口２４を設け、このカード挿入口２４に挿入されたＩＣカード８のカードデータをカード読取部２３により読取るようにしたので、ＩＣカード８の読取りとしてタッチ式と挿入方式との何れでも任意に選択することができ、使い勝手が優れている。
【００３０】
また、カード読取部２３の背面側にカード挿入口２４を設け、このカード挿入口２４に挿入されたＩＣカード８がカード読取部２３の通信領域に位置するようにしたので、カード挿入口２４を設けるにしても、送受信コイル７を追加して設ける必要がなく、全体構成が複雑化することもないと共に大形化することもない。
【００３１】
また、２枚のＩＣカード８を同時に読書きした場合であっても、両方のＩＣカード８間にスペースが存在するため、ＩＣカード８同士の相互結合による共振周波数のずれが抑制され、ＩＣカード８からカードデータを確実に読取ることができる。
さらに、モータ引込み式と違って、装置が複雑化することがないと共に、コストが上昇することなく実施できる。
【００３２】
（一実施の形態）
次に本発明の一実施の形態を図１０乃至図１４を参照して説明するに、第１の参考の形態と同一部分には同一符号を付して説明を省略する。この一実施の形態は、ＩＣカード８のタッチ方向と挿入方向とが互いに９０゜回転した方向に設定されていることを特徴とする。
【００３３】
即ち、ＩＣカードリーダ１には凹部３１が形成されていると共に、その凹部３１の底面内部にカード挿入口３２が形成されており、そのカード挿入口３２の先端が凹部３１の底面に形成されたスリット部３３から外方を臨んでいる。この場合、凹部３１の底面においてカード挿入口３２の形成部位に対応する部位がカード読取部３４に設定されている。また、カード挿入口３２は、ＩＣカード８の挿入方向が凹部３１へのＩＣカード８のタッチ方向に対して９０゜回転した方向となるように設定されている。
【００３４】
さて、ＩＣカードリーダ１によりＩＣカード８を読書きする際に読書き時間が短い場合は、図１１に示すようにＩＣカード８をカード読取部３４に対してタッチする。また、読書き時間が長い場合は、図１２に示すようにＩＣカード８をカード挿入口３２に挿入する。
【００３５】
上記構成のＩＣカードリーダ１の設置方法としては、図１０に示すような横置きと、図１３に示すように縦置きでカード挿入口３２が上向きと、図１４に示すように縦置きでカード挿入口３２が上向きとがあり、任意に選択して設置することができる。
【００３６】
このような実施の形態によれば、ＩＣカード８のタッチ方向と挿入方向とが同一方向である第２の参考の形態と違って、カード挿入口３２に保持されたＩＣカード８がカード読取部３４にタッチされたＩＣカード８に隠れてしまうという不具合を防止できる。又、ＩＣカード８の挿入方向が互いに異なるため、第２の参考の形態より相互結合による共振周波数のずれをさらに抑えることができる。
【００３７】
本発明は、上記実施の形態或いは各参考の形態に限定されるものではなく、次のように変形または拡張できる。
カード読取部６をパネル２よりも奥方位置に設けるのに代えて、キー入力部３をパネル２よりも突出した位置に設けるようにしてもよい。
カード挿入口２４，３２を複数設けるようにしてもよい。この場合、カード挿入口３２へのＩＣカードの挿入方向を互いに異ならせるようにしてもよい。
カード読み取り部をカード挿入口２４，３２に設定してもよい。
【図面の簡単な説明】
【図１】  本発明の第１の参考の形態におけるＩＣカードリーダの斜視図
【図２】ＩＣカードリーダの電気的構成を示すブロック図
【図３】ＩＣカードの電気的構成を示すブロック図
【図４】ＩＣカードリーダとＩＣカードとの間の送受信動作を示すタイムチャート
【図５】  本発明の第２の参考の形態におけるＩＣカードリーダの斜視図
【図６】カード読取部に対するＩＣカードのタッチ状態で示す図５相当図
【図７】カード挿入口へのＩＣカードの挿入状態で示す図５相当図
【図８】縦置きでカード挿入口が上方向で示す図５相当図
【図９】縦置きでカード挿入口が横方向で示す図５相当図
【図１０】  本発明の一実施の形態におけるＩＣカードリーダを示す斜視図
【図１１】カード読取部に対するＩＣカードのタッチ状態で示す図１０相当図
【図１２】カード挿入口へのＩＣカードの挿入状態で示す図１０相当図
【図１３】縦置きでカード挿入口が上方向で示す図１０相当図
【図１４】縦置きでカード挿入口が横方向で示す図１０相当図
【符号の説明】
１はＩＣカードリーダ、３はキー入力部、４は表示部、６はカード読取部、８はＩＣカード、２２はカード読取部、２４はカード挿入口、３２はカード挿入口、３４はカード読取部である。
【図１】
0004186367.tif 000002
【図２】
0004186367.tif 000003
【図３】
0004186367.tif 000004
【図４】
0004186367.tif 000005
【図５】
0004186367.tif 000006
【図６】
0004186367.tif 000007
【図７】
0004186367.tif 000008
【図８】
0004186367.tif 000009
【図９】
0004186367.tif 000010
【図１０】
0004186367.tif 000011
【図１１】
0004186367.tif 000012
【図１２】
0004186367.tif 000013
【図１３】
0004186367.tif 000014
【図１４】
0004186367.tif 000015